(57)【要約】【課題】基礎天端や建物に段差が生じているような場合や外張り断熱とした場合などに防水層の下端から水が浸入することを防ぐ【解決手段】  防水層の下端に配置される防水部材を防水が必要な壁構成部材などを取付ける前に取付け、防水が必要な壁構成部材などを取付けた後に張上げることで、防水が必要な壁構成部材などの下端の小口を含む下端周辺に防水層を構成し、防水が必要な壁構成部材などへ水の浸入を防ぐことを特徴とする。【選択図】図１
2009215864.tif 000002
【特許請求の範囲】
【請求項１】
防水が必要な構造躯体や壁構成部材などを取付ける前に、防水層の下端に配置される防水部材を防水が必要な構造躯体や壁構成部材などの屋内側又は下側となる構造躯体や壁構成部材、基礎、梁、床、胴差しなどに防水が必要な構造躯体や壁構成部材などを取付けた後に張上げられるだけの余裕を持った状態であらかじめ取付けておき、防水が必要な構造躯体や壁構成部材などを取付けた後あらかじめ取付けておいた防水層の下端に配置される防水部材を張上げることで防水が必要な構造躯体や壁構成部材などの下端の小口を含む下端周辺に防水層が構成される防水層の構成方法及び施工方法
【発明の詳細な説明】
【技術分野】
【０００１】  本発明は、建築物の防水層の構成方法及び施工方法に関する。
【背景技術】
【０００２】  現在の外装材は、完全な防水を確保出来ていないものが多く、外装材の屋内側となる構造躯体や合板、断熱材などの壁構成部材の屋外側に防水シートなどの防水部材を取付けることにより防水層を構成している。
特に、断熱材やせっこうボードなどのように含水する事で品質の低下や性能の低下、溶解が生じるような耐水性の低い部材を外壁の屋外側の壁構成部材として用いる場合には、部材の含水による品質の劣化や性能の低下、溶解などを避けるため耐水性の低い部材の屋外側に防水部材を構成する必要がある。【０００３】  （い）従来の構造では、基礎天端や建物に段差があるような部位など防水層の下端となる箇所においては、防水層に到達した水を屋外に排出するため、構造躯体や壁構成部材などに水切り部材を取付けた後、防水部材の下端が水切り部材の上側にかかるように防水部材を取付けている。
このとき、防水部材は水切り部材の上側から取付けられるため、水切り部材の下側の構造躯体や壁構成部材などには防水部材が取付けられておらず防水層が構成されていない。
このような箇所において通常の雨天時などでは、水は防水部材から水切り部材を経由して屋外に排出されることになる。しかし、台風などのように風を伴った雨天時などでは、水は吹き上げられるなどして水切り部材の下側から構造躯体や壁構成部材などの周辺に侵入することがある。
このため、構造躯体や壁構成部材などの含水率や壁内の湿度が上昇し、品質劣化や性能の低下、結露、カビの発生などが生じている。また、その影響は構造躯体や壁構成部材などのみならず仕上げ材や床材などにおよぶこともある。
対処方法として水切り部材の下側が外装材や基礎などの屋外側にかかった箇所で水切り部材と外装材や基礎などとの間にシーリング材などを施工する場合もあるが、シーリング材の施工が上向きでの施工となることや、水切り部材と外装材や基礎などとの間隔が狭いことからその施工や管理が非常に難しい上、部材の種類や工種、工期の増加に繋がるためほとんど実施されていないのが現状である。【０００４】  （ろ）また、外張り断熱とした場合には、水切り部材を断熱材の屋外側に取付けると、釘やねじの打ち込みにより断熱材が圧縮され変形してしまうため水切り部材にゆがみなどが生じやすく、断熱材をはさんでの取付けとなることから取付けの状態が不安定な状態となることなどから、水切り部材を取付けた後、断熱材を取付ける必要がある。また、断熱材の含水率の上昇による品質劣化を防止するため断熱材を取付けた後、断熱材の屋外側に防水部材を取付ける。
このとき、断熱材の小口には、断熱材に釘やねじ、ステープルなどの保持力がないことや断熱材と水切り部材との間隔が狭いことなどから、釘やねじ、ステープル、接着剤、粘着テープなどによる防水部材の取付けが困難なため、防水部材の下端は断熱材の下端に合わせて取付けられており、断熱材の小口には防水部材が取付けられていない。このような箇所でも上記（い）と同様に風を伴った雨天時などには外装材と水切り部材の間から断熱材の小口周辺に水が浸入することがある。
このため、断熱材の小口から水が断熱材内部に浸入するため、断熱材の含水率が上昇し、品質劣化や性能の低下、結露、カビの発生などが生じている。また、断熱材に侵入した水により断熱材の屋内側の構造躯体や壁構成部材など、仕上げ材、床材などの含水率や壁内の湿度が上昇し、品質劣化や性能の低下、結露、カビの発生などが生じている。
対処方法として断熱材の小口にシーリング材などを施工する事もあるが、水切り部材と断熱材との間隔が狭いことからその施工や管理が非常に難しい上、部材の種類や工種、工期の増加に繋がるためほとんど実施されていないのが現状である。また、断熱材の材厚が大きくなった場合には、シーリング材によって小口全体を覆うことは不可能である。【０００５】  （は）さらに、せっこうボードや強化せっこうボード、一部の断熱材など耐水性の低い部材を採用した場合には、上記（い）及び上記（ろ）のような箇所における水の侵入による影響は大きく、部材の含水による品質劣化や性能の低下などの他、部材自体が溶解してしまうことも生じている。
このため、防耐火性能が高い部材や材料費が安価な部材であっても、耐水性の低い部材を外壁の屋外側に採用することができない。
特に防耐火性能が要求されるような建築物では、せっこうボードや強化せっこうボードなどは安価で優れた防耐火の部材であることから屋内側の壁構成部材として使用されることが多いが、せっこうボードや強化せっこうボードなどは耐水性が低いため屋外側の壁構成部材としては使用されず、せっこうボードや強化せっこうボードより高価であるが耐水性のあるけい酸カルシウム板などが屋外側の壁構成部材として使用されている。
このため、材料費や材種の増加、部材の流通、管理が煩雑になるなどの問題が生じている。
また、耐火性能が要求されるため無機質を主成分とした部材が採用される事が多いが、無機質を主成分とした部材は欠損などが生じやすく、部材の切断や取付けといった施工やその管理が難しく、部材の運搬、保管などについても対応が必要となっている。
【発明の開示】
【発明が解決しようとする課題】
【０００６】  解決しようとする問題点は、上記（い）及び上記（ろ）のような防水層の下端となる箇所から水が構造躯体や壁構成部材などに侵入してしまうことである。【０００７】  また、水の浸入を防ごうとした場合には、その施工や管理が難しいことや材種や工種、工期、工費の増加が生じてしまう点である。【０００８】  また、上記（は）のように、性能や機能、材料費などの面で優れていても耐水性が低い部材を屋外側の壁構成部材として自由に採用することが出来ない点も挙げられる。
【課題を解決するための手段】
【０００９】  （１）本発明は、防水が必要な構造躯体や壁構成部材などを取付ける前に、防水層の下端に配置される防水部材を防水が必要な構造躯体や壁構成部材などの屋内側や下側となる構造躯体や壁構成部材、基礎、梁、床、胴差しなどに防水が必要な構造躯体や壁構成部材などを取付けた後に張上げられるだけの余裕を持った状態であらかじめ取付けておき、防水が必要な構造躯体や壁構成部材などを取付けた後、あらかじめ取付けておいた防水層の下端に配置される防水部材を張上げることで防水が必要な構造躯体や壁構成部材などの下端の小口を含む下端周辺に防水層が構成される防水層の構成方法及び施工方法を特徴とする。【００１０】  （２）また、水切り部材の取付け位置が上記（１）の防水を必要とする壁構成部材の屋内側となることを特徴としている。【００１１】  （３）また、水切り部材を取付ける構造躯体や壁構成部材などに防水が必要な場合には、防水層の下端に配置される防水部材を水切り部材を取付ける構造躯体や壁構成部材などを取付ける前に、水切り部材を取付ける構造躯体の壁構成部材などの屋内側又は下側となる構造躯体や壁構成部材、基礎や梁、床、胴差しなどに、水切り部材を取付ける構造躯体や壁構成部材などを取付けた後に張上げられるだけの余裕を持った状態であらかじめ取付けておき、水切り部材を取付ける構造躯体や壁構成部材などを取付けた後あらかじめ取付けておいた防水層の下端に配置される防水部材を張上げることで水切り部材を取付ける構造躯体や壁構成部材などの下端の小口を含む構造躯体や壁構成部材などの下端周辺に防水層が構成された状態でその上に水切り部材を取付けることができる防水層の構成方法及び施工方法を特徴とする。【００１２】  （５）なお、上記の構造躯体や壁構成部材などはその種類や数がひとつ又は複数であっても同様に構成する事ができ、防水が必要でない部材などが含まれてもなんら問題はない。
【発明の効果】
【００１３】  防水が必要な構造躯体や壁構成部材などの下端の小口を含む構造躯体や壁構成部材などの下端周辺に防水層が構成でき、上記（い）及び上記（ろ）のようなに水切り部材と外装材や基礎などとの間や外装材と断熱材との間から水が侵入した場合にも防水が必要な構造躯体や壁構成部材などに水が到達せず、防水が必要な構造躯体や壁構成部材などなどの含水率や壁内の湿度の上昇を防ぎ、防水が必要な構造躯体や壁構成部材などなどの品質劣化や性能の低下、結露、カビの発生を防止することが可能となる。
また、上記断熱材が他の壁構成部材となった場合も同様に構成する事ができる。【００１４】  また、従来使用されている防水部材を用いて、安価かつ容易に防水が必要な構造躯体や壁構成部材などの下端の小口を含む構造躯体や壁構成部材などの下端周辺に防水層を構成することが可能となる。【００１５】  また、防水が必要な構造躯体や壁構成部材などに水が到達することを防ぐことによって、外壁の屋外側に耐水性が低い部材を採用することが可能となり、せっこうボードや強化せっこうボードのような部材によって、防耐火性能に優れた外壁を安価かつ容易に構成する事が可能となる。
【発明を実施するための最良の形態】
【００１６】  上記（い）及び上記（ろ）、上記（は）のように壁を構成する際に生じる防水層の欠点を、最も簡易なかたちかつ最小の部材点数により解消することを可能とした。
【実施例】
【００１７】  図１、図２、図３は、本発明の１実施例の鉛直断面図であって、１は防水が必要な壁構成部材、２は防水層の下端に配置される防水部材、３は水切り部材、４は構造躯体や壁下地の部材、５は基礎、６は防水部材、７は防水層の屋外側に取付けられる壁構成部材、１ａは水切り部材を取付ける防水が必要な壁構成部材、２ａは１ａに取付けられる防水部材、２ｂは防水層の上端に取付けられる防水部材である。【００１８】  （Ａ）図１では、壁構成部材１に防水が必要な場合を示している。
この場合、５の上に４を設置し、４に３を取付けた後、２を取付ける。このとき２は１を取付けた後に張上げられるだけの余裕を持った状態としておき、下側に垂らしておくのが望ましい。
その後、１を取付け、１に沿って２を張上げ、２に連続するように６を張上げていき、その後７を取付ける。
２によって１の下端の小口を含む下端周辺に、２に連続する６によって１の屋外側に防水層が構成されているため、３と７の間から水が浸入した場合にも、１に水が浸入することはない。【００１９】  （Ｂ）図２では、水切り部材を取付ける壁構成部材１ａにも防水層が必要であった場合を示している。
この場合、５の上に４を設置した後２ａを取付ける。このとき２ａは１ａを取付けた後に張上げられるだけの余裕を持った状態としておき、下側に垂らしておくのが望ましい。
その後、１ａを取付け、１ａに沿って２ａを張上げる。その後、３を取付け上記（Ａ）と同様に構成していく。
２によって１の下端の小口を含む下端周辺に、２に連続する６によって１の屋外側に防水層が構成されているため、３と７の間から水が浸入した場合にも、１に水が浸入することはなく、２ａによって１ａの下端の小口を含む下端周辺に防水層が構成されているため３と５の間から水が浸入した場合にも、１ａ及び４に水が浸入することはない。【００２０】  （Ｃ）図３は壁の中間で水切り部材を取付けた場合を示している。
施工方法としては、上記（Ａ）と同様に構成していく。
２と６によって１の屋外側に防水層が構成されているため、３と７の間から水が浸入した場合にも、１に水が浸入することはない。
【産業上の利用可能性】
【００２１】  本発明における防水部材の材質は、透湿防水シートやアスファルトフェルトなど多様な材質によって利用する事が可能であり、適宜採用する事が可能である。
また、防水部材の寸法は、構造躯体や壁構成部材などの厚さなどに応じて適宜採用する事が可能である。
また、防水部材の取付け方法及び取付け用の部材は、釘留めやねじ留め、接着剤や粘着テープなど、取付け箇所の状況などに応じて適宜採用する事が可能である。
また、防水部材の取付け位置は、周辺の状況などに応じて適宜決定することが可能である。【００２２】  本発明における水切り部材の材質は、亜鉛めっき鋼板、塗装鋼板など多様な材質によって利用する事が可能であり、適宜採用する事が可能である。
また、水切り部材の寸法は、水切り部材を取付ける位置や状況に応じて適宜採用する事が可能である。
また、水切り部材の取付け方法及び取付け用の部材は、釘留めやねじ留めなど、取付け箇所の状況などに応じて適宜採用する事が可能である。
また、水切り部材の取付け位置は、周辺の状況などに応じて適宜決定することが可能である。【００２３】  本発明における壁構成部材の材質や寸法、形状、取付け方法、それらの組み合わせなどは要求される性能や材料費などを考慮して適宜採用する事が可能である。【００２４】  本発明における構造躯体や壁下地の部材の材質や寸法、形状、取付け方法、それらの組み合わせ、などは、適宜採用する事が可能である。
【図面の簡単な説明】
【００２５】
【図１】本発明の実施方法を示した説明図である。
【図２】本発明の実施方法を示した説明図である。
【図３】本発明の実施方法を示した説明図である。
【符号の説明】
【００２６】    １  防水が必要な壁構成部材
２  防水層の下端に配置される防水部材
３  水切り部材
４  構造躯体や壁下地の部材
５  基礎
６  防水部材
７  防水層の屋外側に取付けられる壁構成部材
１ａ  水切り部材を取付ける防水が必要な壁構成部材
２ａ  １ａに取付けられる防水部材
２ｂ  防水層の上端に取付けられる防水部材
【図１】
2009215864.tif 000003
【図２】
2009215864.tif 000004
【図３】
2009215864.tif 000005